(57)【特許請求の範囲】
【請求項１】
長手方向の主軸、
踵域を有する甲革（２２）、
踵域の下方に固定された後底（５５０）、
後底の一部と踵域との間に支持された柔軟なプレート（４００）、プレートが中央部と周辺部とを有し、プレート中央部が、ランナーの体重によって曲げられて、プレートの周辺部に対して靴の前記長手方向の主軸に垂直な上下方向へ変形することが可能であり、
甲革の踵域に取付けられかつ少なくとも部分的に凹部を画定する少なくとも１つの下方へ延在する壁を有する踵支持材（５４０）、
後底と踵支持材とを互いに連結する部材（４１０）からなり、プレートの周辺部が踵支持材と連結部材（４１０）とにより拘束される靴。
【請求項２】
底、
前域と踵域を有する甲革（２２）、
甲革の前域の下方に固定された前底（１６０）、前底は少なくとも地面とかみ合う材料からなる面を有し、
甲革の踵域の下方に固定された後底（１５０）、後底が少なくとも部分的に地面とかみ合う材料から作られる面（１５４）を有し、
耐久性プラスチック材料で作られる踵支持材（１４０）踵支持材は少なくとも部分的に垂直に延在する壁（１４４）を含み、壁が靴の外にさらされ目視でき、頂部と、該頂部と後底（１５０）の地面かみ合い面（１５４）の少なくとも一部との間の少なくとも１つの開口部（１７４）とを有し、後底（１５０）の少なくとも一部が少なくとも１つの開口部を介して目視でき、踵支持部材（１４０）が壁（１４４）と一体形成されたリム（１４８）を備え、リム（１４８）は少なくともその一部が内側方向へ延在し、かつ靴の底面と略平行に延在するリム下面を有し、
踵支持部材と一体に形成された土踏まず芯（１８０）を備え、土踏まず芯が地面とかみ合わない部分を有する底面を有し、該地面とかみ合わない部分が前底と後底の地面とかみ合う面の間の靴の底から目視できる靴。
【請求項３】
底、
前域と踵域を有する甲革（２２）、
甲革の前域の下方に固定された前底、前底は少なくとも地面とかみ合う材料からなる面を有し、
甲革の踵域の下方に固定された後底（３５０）、後底が甲革の踵域下方に固定された中底材（３６４）を有し、後底（３５０）が少なくとも部分的に地面とかみ合う面を有し、
プラスチック材料で作られる踵支持材（４４０）、踵支持材は少なくとも部分的に垂直に延在する壁（４４４）を含み、壁が靴の外にさらされ目視でき、該壁（４４４）が、頂部と、底部と、及び頂部と底部との間の少なくとも３個の開口（４４５）とを有し、該少なくとも３個の開口（４４５）は夫々前記壁（４４４）の所定角度位置に配され、踵支持材（４４０）が壁の頂部にリムを備え、リムは少なくともその一部が内側方向へ延在し、かつ靴の底面と略平行に延在するリム下面を有する靴。
【請求項４】
中央部と周辺部とを有しかつ靴の底の少なくとも一部と甲革の踵域の少なくとも一部との間に位置するプレート（４００）を有し、プレートが踵支持材の少なくとも一部と接する請求項２又は３に記載の靴。
【請求項５】
プレート（４００）の中央部が、ランナーの体重によって曲げられて、プレートの周辺部の少なくとも一部に対して靴の長手方向の主軸に垂直な上下方向へ変形することが可能な請求項４に記載の靴。
【請求項６】
甲革（２２）、
甲革に取付けた前底（２４）、
甲革に取付けた踵支持材（２６）、踵支持材が凹部（４０）を少なくとも部分的に画定する甲革から下向きに延在する少なくとも１つの壁（３８）を有し、壁が壁の周辺まわりに縦方向に向いた複数個の圧縮スリット（３４）を有し、
踵支持材（２６）の凹部（４０）の入る後底（２８）を備え、壁が凹部（４０）内に後底（２８）をとどめるよう後底（２８）を押す靴。
【請求項７】
甲革（２２）、
甲革に結合された前底、
甲革に結合され、少なくとも１個の甲革から下向きに延びた壁（４４４）を有し、壁が少なくとも部分的に凹部を規定する踵支持材（４４０）、
踵支持材の凹部（４４６）内に収容可能であり、少なくとも１個の地面かみ合い表面を有する後底（３５０）、及び
踵支持材の凹部よりも僅かに大きく、踵支持材によって後底と甲革の踵部分との間に支持されているグラファイトインサート（４００）
からなる靴。
【請求項８】
甲革（２２）、
甲革に結合された前底、
甲革に結合され、少なくとも１個の、甲革から下向きに延びた、少なくとも部分的に凹部を規定する壁及び壁に対して実質的に垂直な方向で凹部に向かって内側方向に伸びている壁上のリム（５４８）を有する踵支持材（５４０）、
踵支持材の凹部内に収容可能であり、少なくとも１個の地面かみ合い表面を有する後底（４５０）、
後底の上の踵支持材の凹部内に挿入可能なグラファイトインサート（４００）、及び
グラファイトインサートと後底の上のグラファイトインサートを支持するためのリムとの間に配置されたバンド（４１０）
からなる靴。
【請求項９】
更に、踵支持材と一体になった支持踏まず芯（１８０）を含む請求項３，６乃至８の何れかに記載の靴。
【請求項１０】
甲革（２２）の一部と底の一部との間に少なくとも部分的に配されるふくらんだクッション（６７０）を有する請求項１乃至９の何れかに記載の靴。
【発明の詳細な説明】
技術分野
本発明は、一般的に履き物用の改良された後底、更に特に、長い及びより万能な寿命並びにクッション性及び弾力性の項でより良好な性能を有する運動靴用の後底に関する。
背景技術
ランニング、テニス、バスケットボール、クロストレーニング、ハイキング、散歩及びその他の形式の運動用に設計されたもののような運動靴には、典型的に柔らかい及びしなやかな甲革に結合された積層靴底が含まれている。この積層靴底には一般的に、普通ポリウレタン、エチレン酢酸ビニル（ＥＶＡ）又はゴム化合物から作られたより弾力性の中底に結合されている弾力性ゴム外底が含まれている。積層されたとき、靴底は前底と一体になっている後底と共にワンピース構造物として甲革に結合されている。
運動靴に伴う基本的な問題点の一つは外底摩耗である。使用者は滅多にランニング表面を選択する機会を有さず、アスファルト及びその他の研摩性表面が外底にものすごい打撃を与える。この問題点は、特にランニングシューズに於いて殆どの顕著な外底摩耗は、基本的に２個所、即ち、踵の外周辺及び母指球で起こり、踵摩耗が非常に重要な問題である。実際に、踵が典型的に運動靴の残りの部分よりも速く摩耗し、それで靴の全体が未だ満足できる状態であるにもかかわらず靴全部を取り替えることが必要になる。
外底摩耗に付随する他の問題点は中底圧縮である。前記のように、中底は一般的に弾力性材料から作られ、使用者にクッション性を与える。しかしながら、繰り返し使用した後に、中底は使用中にそれに加わる大きな力のために圧縮され、それによって中底がそのクッション効果を失うようにする。中底圧縮は踵領域、特に踵の外周辺及び使用者の踵骨の直ぐ下の領域で最も悪い。
近年の中底及び外底設計及び構成に於ける技術的進歩にもかかわらず、未だこのような進歩の利点は、特に踵領域に於いて、２ヶ月の通常の使用で大きく無効になり得る。運動靴は年々高価になり、ある種の最高級のモデルでは一足１５０．００ドルを越える値段であるので、この問題点は使用者にとって費用が嵩むことになる。踵をほんの僅かな費用で何度も繰り返して取り替えることができる礼装用靴とは反対に、運動靴の踵領域（中底及び外底）はそうすることができない。今日まで、運動靴に於ける中底圧縮及び外底摩耗の組合わさった問題点に向けられたものは当該技術分野で存在しておらず、これらの問題点はこのような靴の踵領域で特に厳しいままである。
靴の外底全体の取り替えを特定する設計は公知である。例には米国特許第4,745,693号、同第4,377,042号及び同第4,267,650号に開示されたものが含まれる。これらの概念は、殆どの応用、特に運動靴には幾つかの理由のために実際的ではない。第一に、靴底と靴との間の密着した接着は、特に靴底の周辺の周りで得ることが困難である。第二に、運動靴に於ける典型的な摩耗パターンを基にすると靴底全体の取り替えは必要ではない。第三に、靴底全体の取り替えは単に摩耗した要素のみを取り替えるよりも高価であるか又は高価になるであろうし、各男性用及び女性用の靴サイズについて取り替え可能な全長靴底を製造しなくてはならないとすると、その要因は複雑である。最後に、特に踵部分は靴底の残りとは完全に異なった要求及び必要条件を有しており、より速い速度で損なわれる。
基本的に、比較的硬い踵及び外底を有する靴（例えば、礼装用靴）に向けられているその他の設計では、着脱可能であり、後底の一部が摩耗したとき回転させることが可能な後底が開示されている。例えば、Redmanの米国特許第1,439,758号には、後底の底を貫通し、靴の踵の底にねじ込まれる中心ネジで靴の踵に固定される着脱可能な後底が開示されている。このような設計は、弾力性中底及び柔らかくしなやかな甲革が中心ネジを保持するほど十分に硬くないので、運動靴に使用することができない。更に、中心ネジは弾力性中底のクッション性に悪影響を及ぼし、使用中に中底が押し付けられたとき使用者の踵の中に押し込まれるおそれがある。
後底を靴に取り付けるための中心ネジ又はその他の関連固定手段を含む着脱可能な後底を有する靴は、ギャッピング問題を経験するであろう。ギャッピングは、初期に又は延長された使用の時間に亘って、靴の着脱可能な要素と着脱不能な要素との間に生じる得る間隙を指す。どのようなギャッピングも、結局は、破片を引き付けるか又はぱたぱた状態を起こし、他の場合には運動的に不愉快になるであろう。このような問題は、延長された使用と共に他の表面から垂れ下がるか又は取り去られそうな弾力性材料から作られた後底を含む靴に於いては特に厳しい。同様に、中心ネジに依存する後底は、弾力性材料が使用されたとき周辺に於いて取り外されそうである。関連技術では垂直踵支持側壁が開示されているけれども、弾力性後底の場合にこれらはギャッピング問題又は取り外し（pry-away）問題を解決しない。例えば、破片がまだ踵支持垂直側壁と垂直後底側壁との間に入りそうであり、後底は、舗道の亀裂又は剥離個所に捕らえられ、それを保持するために垂直壁のみが存在しているならば、周辺でなお取り外されるであろう。後者の問題は、垂直踵支持側壁が、設計により弾力性が最大であり取り替えに最も少なく耐えることができるその中底の周りで弾力性後底を把持すると言う事実によって複雑になる。
勿論、後底を回転することは踵中心で起こる中底圧縮を妨害又は軽減しないであろう。後底全体の取り替えは常に任意であるけれども、踵中心圧縮がそれを必要又は望ましくするとき回転の全部の利点は実現されないかもしれない。即ち、良好な周辺の外底及び中底が残っているかもしれないということである。
回転又は除去可能な後底と組み合わせるのではないけれども、種々の機械的構成部分を踵構成物に取り入れることによって、踵中心中底圧縮に対処すること及び／又は使用者の歩き方に弾力性を付加する試みがあった。一つのアプローチは、使用者の体重がかかると曲がり、次いで使用者の体重が他方の足に移ったときその元の位置に戻る硬くて可撓性の材料の薄い層を、踵領域内に水平に挿入することであった。しかしながら、このような試みは幾つかの理由のために最小の成功にしかならなかった。このような挿入物は最初から十分な固有の弾力性が欠けていた。他の場合に、これは使用と共に劣化したであろう。全ての場合に、これはその周辺の周りで弾力性土台の上に載り、中心のその携む能力を制限した。
他の問題点は、運動靴購入者が、靴の踵のクッション性又は弾力性を、自分の体重、個人的基準又は必要性に対して誂えることができないことである。これらはメーカーがその靴サイズでたまたま与えたものに「固定」されている。
最後に、あったとしても比較的僅かであるが、足又は脚不揃い、足又は脚障害及び長さが異なった足を持つ人に利用可能な履き物選択の自由があり、とりわけ左後底と右後底とについて異なった長さのものにする及び／又は異なったクッション性又は弾力性のものにする必要性がある。現在、このような選択権は、人の状態が改善されるか又は悪化するなら無用になるオーダーメイド靴のみに含まれる。
発明の開示
本発明は、関連技術の制限及び欠点に帰因する１個又は２個以上の問題点を実質的に取り除く靴に指向している。
本発明の追加の特徴及び利点は、下記の記載に述べられるであろうし、部分的にはこの記載から明らかになるであろうし、又は本発明の実施により学習されるかもしれない。本発明の目的及び利点は、記載及び請求の範囲並びに添付する図面に於いて特に指摘されるシステムによって実現され達成されるであろう。
これらの及びその他の利点を達成するために、本発明の目的により、本明細書に例示され広く記載されるように、靴には、甲革、甲革に結合された前底、甲革に結合された踵支持材並びに踵支持材に着脱可能に固定されるか又は回転可能に装着された、少なくとも１個の地面かみ合い層（ground-engaging layer）及び地面かみ合い層に結合された中底を含み、中底が地面かみ合い層よりも弾力性であるエラストマー材料から製造されている後底が含まれる。
他の面で、靴には、甲革、甲革に結合された前底、甲革に結合され、少なくとも１個の甲革から下向きに延びた壁を有し、この壁が少なくとも部分的に凹部を規定する踵支持材、踵支持材の凹部に収容可能で、少なくとも１個の地面かみ合い表面を有する後底及び踵支持材の凹部内に又は後底と甲革の踵部分との間の踵支持材の壁によって支持されるグラファイトインサートが含まれる。
前の一般的な記載及び以下の詳細な記載の両方は、例示的又は説明的のみのものであり、請求の範囲に記載したように本発明の制限的なものではない。
本明細書に含まれその一部を構成する添付する図面は、本発明の一態様を示すものであり、記載と共に本発明の原理を説明する機能を果たす。
【図面の簡単な説明】
図１Ａ及び１Ｂは、本発明の靴の一態様の分解等角投影図である。
図２は、図１Ａの靴の平面図である。
図３は、図１Ａの靴の側面図である。
図４は、図１Ａの靴の背面図である。
図５は、図１Ａの靴用の固定バンドの拡大図である。
図６は、本発明の靴の他の態様の背面図である。
図７は、図６の靴の平面図である。
図８Ａ及び８Ｂは本発明の靴の他の態様を描いた図である。
図９は、本発明の靴の他の態様の等角投影図である。
図１０は、図９の靴用の踵支持材及び後底の分解等角投影図である。
図１１は、図１０の踵支持材及び後底の他の分解等角投影図である。
図１２は、図１１の後底の側面図である。
図１３は、図１１に示す態様で使用することができる他の後底の側面図である。
図１４は、本発明の靴の他の態様の等角投影図である。
図１５は、図１４の靴用の踵支持材の等角投影図である。
図１６は、図１５の踵支持材の他の等角投影図である。
図１７は、本発明の靴の他の態様の等角投影図である。
図１８は、図１７の靴用の踵支持材の等角投影図である。
図１９は、図１８の踵支持材の他の等角投影図である。
図２０Ａ及び２０Ｂは、それぞれ本発明の靴用の踵支持材の他の態様の側面図及び平面図である。
図２１は、本発明の靴用の後底及びウエハの分解等角投影図である。
図２２は、本発明の靴に使用するための踵支持材、後底及びグラファイトインサートの分解等角投影図である。
図２３は、図２２の後底の側面図である。
図２４は、本発明の靴に使用するための踵支持材、グラファイトインサート及び後底の分解等角投影図である。
図２５は、本発明の靴に使用するための踵支持材、グラファイトインサート及び後底の他の態様の分解等角投影図である。
図２６は、本発明の靴に使用するための踵支持材、グラファイトインサート及び後底の他の態様の分解等角投影図である。
図２７は、本発明の靴に使用するための踵支持材、グラファイトインサート及び後底の他の態様の分解等角投影図である。
図２８は、本発明の靴に使用するためのグラファイトインサートの等角投影図である。
図２９は、本発明の靴に使用するための後底及び弾性バンドの分解等角投影図である。
図３０は、図２９の後底及び弾性バンドの側面図である。
図３１〜３３は、本発明の靴に使用するための後底の図面である。
図３４は、本発明の靴に使用するための踵支持材、グラファイトインサート及び後底の他の態様の分解等角投影図である。
図３５は、図３４の後底の等角投影図である。
図３６は、図３４の踵支持材の側面図である。
発明を実施するための最良の形態
参照を本発明の好ましい態様に対して詳細に行い、その例を添付する図面に示す。可能であるとき、同じ参照符号を同じ又は類似の部分を指すために図面を通して使用する。
図１Ａは、本発明の靴の第一の態様を示す。全体的に２０として指定する靴は、靴甲革２２、前底２４、踵支持材２６及び後底２８を有する。前底及び踵支持材は、従来の方法で、典型的に射出成形、縫合又は接着によって靴甲革に結合されている。
図３に示すように、前底２４には前中底５０及び外底５４が含まれている。前中底５０は、従来の様式、例えば、射出成形又は接着などで甲革に結合されており、外底５４は当業者に公知の同様の従来の様式で前中底５０に結合されている。
図１Ａに示すように、踵支持材２６には好ましくは、踵支持材の上の甲革２２の踵部分を安定化させるための踵革２７及び甲革から下向きに延び、後底を収容するサイズの凹部４０を規定する側壁３８が含まれている。踵支持材にはまた甲革の踵部分を支持するための実質的に水平の上部壁３８′が含まれている。他の場合には、後で更に詳細に説明するような後底の上面又はインサートが、甲革の踵部分を支持する。踵革２７及び側壁３８′を含む踵支持材の構成部分は好ましくは射出成形又はその他の従来の方法によって一体に製造され、好ましくは商品名ＰＥＢＡＸで製造されている耐久性プラスチックのようなプラスチックからなる。
後底２８は好ましくは２種の異なった材料、即ち第一地面かみ合い表面３０用のゴム化合物及び踵の中底３２用のポリウレタン又はエチレン酢酸ビニル（ＥＶＡ）のようなより軟らかいエラストマー材料から製造されている。任意に、中底３２の切り欠き部分４６は硬質プラスチック材料から製造することができる。しかしながら、後底は単一の均一な材料又は２種の材料（例えば、硬質ゴムで包まれたＥＶＡ）又は例えば、米国特許第5,005,300号に開示されている空気包含チューブからなる材料を含む材料の幾らかの層又は組合せからなっていてよい。
後底２８は踵支持材２６から着脱可能である。これによって、靴底が顕著な程度まで摩耗したとき又は使用者が特別の運動努力若しくは演技表面について所望の性能特性のために異なった靴底を望むとき、使用者が後底全部を交換することができるようになる。
後底２８はまた踵支持材２６に回転可能に装着することもできる。後底は、使用者がそれぞれの所望の位置で後底を固定することができるように設けられた手段によって、複数の位置（図１Ａの態様に於いては４個の位置のみが可能であるが）に回転させることができる。使用期間の後で、地面かみ合い表面３０の周辺は、使用者が例えばランニングしたとき踵が最初に地面に接触する点で摩耗パターンを示すであろう。過剰の摩耗は、この点で及び中底で起こり、後底の性能を低下させる。摩耗が十分に顕著であると使用者が確認したとき、使用者は後底２８を踵支持体２６から取り外し、摩耗した部分が使用者の最初の踵が当たる位置にならないように後底を回転させる。回転は靴の主軸に揃った軸内で行うことができ、そうして踵を実際には「めくる」か又は裏返しにする。回転は靴の主軸に垂直な軸の周りに起こすか又は上記のどのような組合せであってもよい。次いで使用者は再びかみ合わせ、後底をその新しい位置に固定し、そうして後底が使用中に取り除かれるようにはならないようにする。後底を回転することができる位置の数は限定されない。しかしながら、図１Ａに描いた態様では、後底の楕円形状のために両軸について合計４個のみのこのような位置が可能である。
靴の主軸に対して垂直な軸の周りに、例えば、その出発点から１８０度の位置まで回転させると、後底の摩耗した部分は靴の踏まない部分に又はその近くに位置するであろう。踏まない部分は牽引性、安定性、クッション性及び衝撃吸収目的のために重要性の低い領域である。しかしながら、図１Ａに描いたもの以外の態様に於いては、延長した使用の利点を得るために後底を最大１８０度回転させる必要はない。後底の摩耗した部分が最初の踵が当たる領域を越えて回転する限り、後底の延長された使用が可能である。使用者は後底を定期的に回転し続けて、後底の摩耗していない部分が最初の踵が当たる領域内に配置されるようにすることができる。
後底２８の形状は、円形、多角形、楕円形、「カシパンウニ（star dollar）」、長い「カシパンウニ」又は他のものであってよい。好ましくは、後底は、地面かみ合い表面３０の後縁が各回転位置で実質的に同じ輪郭を有するように形成されている。複数の回転可能位置を可能にするために、地面かみ合い表面３０の形状は好ましくは少なくとも１本の軸の周りに対称にしなくてはならない。地面かみ合い表面３０は平面であっても非平面であってもよい。好ましくは、地面かみ合い表面には、特にランニングシューズモデルに於いては、使用中の踵打撃を和らげるために図１Ａに示すように１個又は２個以上の先細にした又は傾斜した縁が含まれている。
側壁３８の周辺の周りに一般に垂直に延びている複数個の圧縮スリット３９が含まれていてよく、これは図１Ａに示されている。スリットによって側壁３８を完全に通過する空隙が作られてもよく又はこれらは単に側壁の弱くなった領域であってもよく、そうしてスリットの領域の側壁厚さは他の場所の側壁厚さよりも小さくなっている。圧縮スリットによって、図４に示すように、後底を凹部内に加圧嵌合することができるように側壁を十分に延ばし、次いで後底の周辺表面を押し付けて、後底を凹部内に保持することが可能である。任意に、図１Ａ及び３に示すように、側壁の周りに嵌合するサイズの固定バンド４４を使用して後底を凹部内に更に固定することができる。固定バンドは図１Ａに示すように別個の構成部分であってもよく、図１Ｂに示す固定バンド４４′であるように踵支持材の側壁３８と一体に製造されてもよく、それによって靴に付属する離れている部品の数を減少させる。
後底２８を回転しようとするとき、使用者は（設けられていれば）バンド４４を外し、後底を「回転させ」、バンドを再固定する。後底は靴の２本の軸の周りに回転できるサイズである。靴の主軸に対して垂直である第一軸の周りに回転可能であることに加えて、後底は裏返し可能であり、このことは靴底が靴の主軸と揃った第二軸の周りに回転できることを意味する。裏返しにするために、後底は第二地面かみ合い表面１３０の反対側に配置された第一地面かみ合い表面３０を有していなくてはならない。使用者が地面かみ合い表面を完全に交換することを望むとき、摩耗した個所を靴の主軸に垂直な軸の周りに単に回転する代わりに、使用者は後底を取り外し、それを裏返し、第一地面かみ合い表面３０は第二地面かみ合い表面１３０の相対位置をとり、逆もまた同じである。勿論、使用者は、後底がかみ合わされないか又は再かみ合わされるとき、所望により同時に２本の軸の周りに後底を回転させることができる。
側壁３８には好ましくは、一般に側壁３８の全周辺に沿って水平に延びている第一切り欠き部分４２が含まれている。使用したとき、固定バンド４４は踵支持材の側壁３８の周りで第一切り欠き部分内に嵌合している。後底２８の両方の地面かみ合い表面は、組み立てたとき踵支持材２６の凹部４６の中に嵌合し、これとかみ合うサイズである。後底２８の水平中間部分は、その周辺に沿った第二切り欠き部分４６を有し、第一切り欠き部分４２の中に嵌合し、これとかみ合うサイズである、後底を踵支持材の凹部内に上方に配置し、固定バンド４４を第一切り欠き部分４２内に嵌合させ、締め付けて、後底２８を使用中の所定の位置に確実に保持する。圧縮スリット３９によって、固定バンド４４を締め付けたとき踵支持材２６の側壁３８が圧縮され、ぴったりした固定嵌合を確実にすることが可能になる。
図１Ａ及び４に示すように、第一切り欠き部分４２の内表面には、複数個の位置合わせディンプル４３が配置されている。複数個の位置合わせニップル４１が後底２８の第二切り欠き部分４６の外側の対応する位置に配置されている。位置合わせディンプル４３は、二つの部分を組み立てたときニップル４１内に嵌合し、これとかみ合うサイズであり、二つの部分を位置合わせすることを助け、一般的に構造安定性を助け、特に使用者が靴の踵の上で旋回したとき凹部４０内での水平面の後底のねじれを防ぐ。
後底が踵支持材に取り付けられたとき、傾斜した縁は好ましくは図２に示すように揃えられる。図３には、改良された運動靴２０の側面図が描かれており、ランニングシューズモデルのように地面かみ合い表面の傾斜した縁４８が再び描かれている。２個の傾斜した縁が示されているけれども、地面かみ合い表面には所望により１個又は２個以上の傾斜した縁が含まれていてよく、これらは（不特定数の円形後底で）使用者により所望されるように踵支持材に対して揃えられていてよい。
図５には固定バンド４４の拡大図を示す。締め付け組立具は、殆どのスキーブーツに使用されている従来の掛け及び止めシステム及び同様の装置と同様である。掛け金は止め金がかみ合っている第一位置から第二及び固定位置へ旋回し、組立具の両端に一緒に力を掛ける。同様の締め付け組立具は工業界で公知であり、例えば、ラジエータホースクランプなどを使用し、なお本発明の利点を得ることができる。
後底を踵支持材にロック又は固定するための手段は限定されない。確実で密着した嵌合が必要であるが、この手段はまた容易に実施できなくてはならず、それで使用者は後底を取り替えるか又は取り除くために靴をメーカー又は靴修理店に戻す必要はないであろう。
後底を取り除く能力は幾つかの目的を果たす。使用者は、摩耗した部分をあまり重要でない靴底の領域に移すために後底を回転及び／又は裏返しすることができ、いつかは靴底が過度に摩耗したとき後底を全部取り替えることができる。摩耗に於ける追加の長い寿命は、典型的に反対の摩耗パターンを示す除去可能な後底を右の靴と左の靴との間で相互交換することによって得ることができる。しかしながら、幾らかの使用者は逆の摩耗パターンのためにではなくて、異なった性能特性が欲しいために後底を交換することの方を好むであろう。例えば、靴市場で「クロストレーナー」として本発明を使用する人は、１種の後底をバスケットボールのような一つのスポーツ用に望み、他の種類の後底をランニングのような他のスポーツ用に望むであろう。バスケットボール競技者は、迅速な横方向移動が必須である場合の安定性のためにより硬くより堅い後底を必要とし、他方、ランナー又はジョッガーは柔らかいクッションのよい踵から得られる増大した衝撃吸収特性の方を好む傾向があろう。同様に、粗いアスファルト又はセメントの上の戸外走行（run outside）を計画しているジョッガーは、既に弾力性の室内木製トラックの上を走るのに適している種類よりも一層弾力性の後底の方を好むかもしれない。後底性能はまた使用者の体重又は所望のクッション性にも依存するであろう。
本発明により後底を踵支持材に結合させる種々の方法を示す別の態様が開示される。後底の形状及び靴要素の材料組成のような最初の態様の一般的な特徴は、他に記載しない限り全ての態様に適用されるであろう。
図６及び７に示す第二の態様に於いて、後底２９は、後底２９のかみ合わせ面８８の周辺に沿って配置されている複数個の間隔が空けられている突起部８６を有している。突起部８６は踵支持材２６′の凹部４１内に配置されている複数個の逆「Ｌ」字形スロット９０とかみ合うサイズである。このスロットは突起部を収容するサイズであり、そうして後底及び突起部を踵支持材凹部の中に上向きに挿入することによって後底を踵支持材にかみ合わせ、後底を靴の主軸に対し垂直な軸の周りに回転して突起部を逆「Ｌ」字形スロットの水平部分の中に固定させる。後底を所定の位置に更に固定し、また次いで使用者が踵で旋回したとき凹部４１内の後底２９の望ましくない回転を防止するために、図６に示すもののような弾力性止め金９４を使用することができる。更に特に、このような止め金は図６に示すように踵支持材に形成されており、壁及び後底２９内で穴９２とかみ合う。
上の記載は、その全体が回転するか又は分離する後底に向けられているけれども、後底の一部のみが回転可能又は除去可能であるならば、本発明の同じ利点を得ることができることが特に考慮される。この面で、「少なくとも１個の回転可能な地面かみ合い表面」は、使用中に地面と接触する少なくとも１個の後底の表面が回転するか除去可能であることを意味する。例えば、本発明には、それによって後底の一部、例えば中心領域が動かないままであり、他方、地面かみ合い表面の周辺が回転するか及び／又は着脱可能である態様が含まれる。
本発明の靴の第三の態様を図８Ａ及び８Ｂに示す。後底９８は横断縁１００及び周辺縁１０２を有する。舌部１１０及び溝１１２機構が、後底９８の横断縁１００が後底を踵支持材１０６に最初にかみ合わせることを確実にしている。図８Ａに示す態様の舌部１１０は横断縁１１０の全距離を延ばしている。組み立てるために、使用者は後底９８を靴の主軸に対して横方向に滑らせる。（また、舌部１１０は、靴の後ろから溝１１２の中に直接後底を挿入することによって、溝１１２内に「素早く取り込まれる」ように設計することができる。）次いで使用者は踵支持材に後底を固定するための手段を用いて、後底９８を踵支持材１０６まで振って、後底を確実に結合させる。分解するときは、この工程を逆にする。後底を固定するための手段は限定されず、代替手段には本明細書に記載した全ての固定手段又は類似の応用に従来使用されたものが含まれる。勿論、代替手段には、踵支持材１０６の張り出し部分１１４の対応する数の収容穴１１６とかみ合う後底の複数個の弾力性突起部１０８のような、踵の外周の周り全部の一体化止め機構が含まれてよい。張り出し部分１１４の存在によって、舌部１１０は弾力性材料から製造することが必要であり、後底９８は組立又は分解の間、下向きに曲がり、張り出し部分１１４を通過できるようになる。
図８Ａ及びＢの改良された運動靴の靴底の後底は、幾つかの異なった様式で向けることができ、なお本発明の態様であることに注目することが重要である。横断縁１００及び舌部１１０は靴の外底の面内で角度が付けられていて、それらが靴の主軸に対して垂直でなくてもよい。この方向決めによって、図８Ａ及び８Ｂに示すような横断縁１００及び舌部１１０が外底の面内で、靴の主軸に対して垂直であるならば得られるものよりも、大きな量の舌部１１０と溝１１２との間の表面接触が可能になるであろう。このような方向決めによって、より小さい取り外し可能な後底要素内で多くのランナーの踵の外周辺で典型的に生じる摩耗個所の分離も可能になるであろう。異なった角度を有する横断縁は足の裏が外側を向くように捻れる傾向があるランナーにとって同じ目的を達成する。また、図８Ａには靴の主軸に平行な軸に沿って後底から外に延びている舌部１１０が描かれているけれども、その代わりに舌部は靴の主軸に対して角度をつけて上向き又は下向きに延びていてもよく、これはなお本明細書に記載した発明内に含まれる。更に、後底９８は靴の後ろから前の方に、普通「踵部分」と呼ばれる靴の部分の全水平距離を延ばす必要はなく、むしろ、図８Ａ及び８Ｂに示すように、後底にこのような「踵部分」の区分のみが含まれていれば、本発明の利点が得られる。最後に、図８Ａ及び８Ｂの後底９８は、前記の他の態様に於ける通りに、靴の主軸に揃った軸の周りに回転可能であってもよい。この特徴によって、使用者が後底を外し、後底を靴の主軸の周りに「裏返し」又はめくり、次いで後底を靴に再かみ合わせすることが可能になる。結局、後底の「踵が当たる」部分をこの様式で交換することができる。
本発明の他の態様を図９〜１２に示す。この靴には甲革２２、踵支持材１４０、後底１５０及び前底１６０が含まれている。図１０に示すように、踵支持材１４０には踵革１４２、靴底を収容するサイズの凹部１４６を規定する下向きに延びた壁１４４及び壁の下部の周りに形成され凹部の中に内側方向（半径方向内方と同義、以下同様）に延びているリム１４８含まれている。アンカー１５２がリム１４８の底面に形成され後底１５０の方に下向きに延びていてもよい。
後底１５０には、この態様に於いて３個の傾斜した区分又は縁１５６を含むゴム製の地面かみ合い表面１５４が含まれている。図１２に示すように、後底１５０にはまた、実質的に円筒形の下側部分１６２及び下側部分よりも直径が小さい実質的に円筒形の上側部分１６４を含む、地面かみ合い表面１５４に積層された中底１５８が含まれている。溝１６６がこれらの上側部分及び下側部分の間に形成され、踵支持材のリム１４８を収容し、後底を踵支持材凹部内に保持する。
上側中底部分１６４には、図１０〜１２に示すように、後底を踵支持材の中にねじ込むことを可能にする螺旋溝１６８が含まれている。図１０に示すように、踵支持材のリムの一部は１７０で切り取られている。螺旋溝の頂部を切断部分に隣接するリムの縁１７２と揃えることによって後底が踵支持材の中にねじ込まれる。窓１７４を通して螺旋溝１６８の頂部内に挿入した（細長いねじ回しのような）鋭利な器具は開始工程で助けになり得る。次いで後底を簡単に回転させ、リムが後底の螺旋溝とかみ合って、後底の上側中底を凹部内にねじ込む。完全に挿入されると、後底は、望ましい抵抗を持っているが、手によって凹部内で自由に回転できる。後底が踵支持材に結合されたとき、任意のアンカーは使用者の体重のために後底の下部中底部分の中に沈み、使用中の後底の回転を防ぐ。
中底１５８の形状、即ちリムによって規定される凹部の直径に等しいか又はこれより僅かに大きい直径を有する上側中底部分及び円筒形壁１４４によって規定される直径に実質的に等しい直径を有する下側中底部分は、踵支持材の壁と後底の周辺表面との間に生じる全ての垂直隙間問題を更に除く。
後底を踵支持材から取り除く際に補助するために、２個の窓１７４、１７６（図１０）即ちリムの切り取り部分の上の第一窓１７４及び第一窓から踵支持材の壁の周り１８０°に位置する第二窓１７６が踵支持体の壁に形成されている。更に、図１２に示すように、小さなくぼみ１７８が上側中底部分１６４の周辺表面に、螺旋溝１６８が上側中底部分１６４の底を横断する点から１８０°の点で形成されている。踵支持材から後底を取り除くために、踵支持材の中で小さいくぼみが第二窓１７６内に現れるまで後底を回転させる。この点で、螺旋溝の底は切り取り部分の中心と揃っている。次いで使用者は再び窓１７４を通して螺旋溝１６８の中に挿入されるねじ回し又は同様の器具を用いて、簡単に後底を回転させて、踵支持材のリムが螺旋溝とかみ合うようにする。次いで後底を簡単に回して後底を踵支持材からねじ外す。
後底を踵支持材に結合させたり取り外すために、螺旋溝を後底に含ませることは必ずしも必要ではない。図１３に示すように、後底２５０は図１２に示すものと同様であるが、螺旋溝及び小さいくぼみを含んではいない。中底２５８の上側部分２６４及び下側部分２６２は軟質材料から製造されているために、それはリム１４８が溝２６６にかみ合うまで踵支持材の凹部の中に加圧嵌合させることができる。この例では、踵支持材のリムは図１０に示すような切り取り部分又は窓を含んでおらず、図１４〜１９に示すように連続リムであってよい。この例に於いては、踵支持材は、後底を所定の位置に加圧嵌合できるように凹部の僅かな膨張を可能にするために十分可撓性であるプラスチック又はその他の材料から製造することができる。また、壁又はリムには図１Ａに示すものと同様の圧縮スリットが含まれていてもよい。更に他の代替物は、リムについて加圧嵌合を配慮して僅かに狭いものである（図示されている）。
図１０及び１１に示すように、踵革１４２は踵支持材から上向きに延びて、接着又はその他の従来の方法によって甲革の踵部分に結合されている。踵革は好ましくは踵支持材と同じ材料から製造され、好ましくは踵支持材と一体になるように成形されている。踵革は使用中の踵の横移動を安定化させるために機能する。
図９〜１１に示すように、本発明の靴にはまた好ましくは、足の土踏まずのための等しく堅い支持材を与え、踵支持材の壁が前底に隣接した場合の潜在的な隙間問題を軽減するために、踵支持材１４０に結合されこれと一体になった支持踏まず芯１８０が含まれている。支持踏まず芯１８０は一般的に凹部１４６（それが踵革１４２及び側壁１４４に結合している場所）から母指球の方に延び、接着又はその他の従来の方法によって甲革２２及び前底１６０に結合されている。支持踏まず芯１８０はまた好ましくは、踵支持材と同じ材料から製造され、成形によって踵支持材１４０と一体に製造されている。踵支持材と一緒の支持踏まず芯のこのようなワンピース構成によって他の主要な問題点、即ち硬い踵支持材と弾力性前底との接合点でカールする従来の「全体」踏まず芯構成の運動靴の傾向が解決される。
図１４〜１６に示すように、踵支持材２４０の他の態様には、踵革２４２、凹部２４２を規定する垂直に延びた側壁２４４及び凹部中に内側に延びている一般的に水平で連続したリム２４８が含まれている。アンカー２５２をリムの底に形成し、図１３に示す後底２５０の下側中底部分２６２をかみ合わせ、使用中の後底の回転を防止するようにしてもよい。
この態様に於いて、踵支持材２４０に、甲革２２の踵部分を支持するための、側壁２４４の上に配置された一般的に水平の上面壁２４５を含ませてもよい。上面壁２４５は好ましくはプラスチックからなり、踵支持材と一体に製造される。隙間２４９を好ましくは上面壁２４５と側壁２４４の一部との間に形成して、使用者が彼の又は彼女の足の下の前側壁２４４を感じないようにすることができる。任意の穴（図示せず）を図１０に於けるように上面壁２４５に切って、使用者の足が中底の中心と直接接触するようにしてもよい。
支持踏まず芯１８０を使用することの代替物として、踵支持材２４０には母指球の方に延びた厚い舌部２４７が含まれている。厚い舌部２４７は踵支持材を前底２６０に結合するための追加の接着面及び靴の踵部及び土踏まず領域への追加の剛性を与え、そうして前底が踵支持材から分離する機会を最小にし、同時に硬い踵支持材と軟らかい前底との結合点でカールする靴の傾向を最小にする。
踵支持材の別の態様を図１７〜１９に示す。この態様に於いて、踵支持材３４０には、図１４〜１６に示すものと同様に、踵革３４２、壁３４４、リム３４８、上面壁３４５、隙間３４９及びアンカー３５２が含まれている。舌部３４７は、図１４〜１６に示す舌部２４７よりも薄く僅かに小さい。しかしながら、踵支持材には、図１７及び１８に示すように、踵支持材に隣接した前底３６０のかみ合い後端部を収容するために、その前側に形成されたポケットを有する湾曲壁３４１が含まれている。湾曲壁３４１は前底及び後底の揃った硬さの弾力性材料からのしっかりした滑らかに進む移動を与え、それによりギャッピングを最小にする。これはまた、使用者が走っているとき後底の下側部分のための望ましい支え又はバンパを与える。
幾つかの態様によって凹部を規定する連続壁を有する踵支持材を示したけれども、連続壁は必要ではない。図２０Ａ及び２０Ｂに示すように、踵支持材２００には少なくとも部分的に凹部を規定するまで下向きに延びている２個又は３個以上の空間を開け離れた壁部分が含まれていてよい。これらの壁部分にはそれぞれ前記の態様と同様の様式で凹部内に延びているリム２０４が含まれている。図１３に示す後底はスライドさせ凹部内に加圧嵌合させることができ、踵支持材の下向きに延びた壁に形成されたリムは、溝２６６とかみ合って後底を凹部内に保持し、アンカー２０６で使用中の後底の回転を防ぐ。壁部分の間の空間は好ましくは、摩耗個所が典型的に後底に形成されたとき生じ、摩耗個所で格別のクッションを与える。
後底を踵支持材に結合させる他の方法を図２２及び２３に示す。この態様に於いて、上側中底部分３６４にはその周辺から延びている複数個の弾力性ノブ３６５が含まれている。このノブは図示するように円筒形又は後底の回転を防止するどのような幾何学的形状であってもよく、これには図３５に示すノブが含まれる。更に、踵支持材４４０にはノブ３６５を収容する複数個の開口４４５を有する側壁４４４が含まれている。
前記のように、回転可能であることに加えて、後底は裏返しにすることもできる。この例に於いては、後底は２個のゴム化合物から製造された地面かみ合い表面を有するであろう。各地面かみ合い表面に１個又は２個以上の傾斜表面が含まれると、甲革の踵支持材は、使用中ではない地面かみ合い表面の傾斜表面を考慮して成形しなくてはならない。また、図２１に示すように、ウエハ２１０が使用中ではない地面かみ合い表面と、踵支持材の上部又は甲革の底部との間に配置されていてもよい。図２１に示すように、ウエハには、傾斜縁１５６′の数に対応する数の、バー２１４によって結合されたインサート２１２が含まれている。各インサートは、平らな上表面２１６及び平らな上表面を有する後底を有効に与えるために傾斜表面の形状に一致している底表面２１８を有している。その結果、後底は使用中に靴の踵が地面に当たったとき有効に安定化され、後底を不特定の数の位置に回転可能に配置させることができる。このことは、図１Ａ及び１Ｂによって意図されるように、凹部の上面水平壁が単に、使用中ではない裏返し可能な後底の表面とかみ合うように成形されているならば生じ得ない。
図２２及び２３に示すように、グラファイト又はその他の堅いが可撓性の材料から製造されたインサート４００は、踵支持材側壁４４４によって支持され、後底と靴の甲革（図示せず）の踵部分との間に配置され、とりわけ踵中心中底圧縮を軽減する。図２２に示すように、円形グラファイトインサート４００は、踵支持材４４０の下向きに延びた壁４４４によって規定される凹部４４６の直径よりも僅かに大きい直径を有する。リップ４４８は踵革４４２の内表面と凹部４４６との間に形成され、インサートの周辺部を支持している。
グラファイトインサートは踵支持材の上部に永久的に結合されるか又は典型的に踵支持材の上部に配置されているキャンバス型材料で形成されたポケット（図示せず）を通して除去可能であってもよく、又はこのようなキャンバス材料を使用しない場合中敷きを除いた後に単に除くことができる。グラファイトインサートの除去可能性によって、剛性又は組成を変えた幾つかの異なった種類のグラファイトインサートを使用することが可能になり、それでランナーの体重、ランナーの能力、包含される運動の種類又は靴の踵に望まれる弾力の量により適応できる。
図２２及び２３に示すように、後底３５０は好ましくは凹面状の上表面３６７を有する。それで、後底が踵支持材に結合されたとき、後底の上表面はグラファイトインサートと接触するようにはならない。その結果、グラファイトインサートの中央部はランナーの体重によって上下方向へ曲がることができ、それでトランポリン様に作用し、中底圧縮を防ぐことに加えて、使用者の走り方に格別の弾力を与える。
グラファイトインサートを結合させるための他の態様を図２４に示す。この態様に於いて、グラファイトインサート４００は踵支持材５４０の底を通して挿入され、グラファイトインサートの周辺部は踵支持材の上リム５４９の下表面を押し付ける。プラスチックリング４１０もグラファイトインサートとリム５４８との間の凹部内に挿入されている。このようなリング４１０はそれを踵支持材内に挿入できるほど十分に可撓性である。このリングはグラファイトインサートの下表面の周辺部を支持している。後底４５０は、それが使用中にグラファイトインサートを曲げることができるために（図３０及び３３に示す上表面のような）凹面状の上表面を有する以外は図１２に示す後底１５０と同一のねじ込み型である。
図２４に示すように、踵支持材のリム５４８には、５７０での２個の切り取り部分及び窓５７４及び５７６が含まれており、図１０、１１及び１２によって意図されるものと同じ方法で後底を踵支持材にねじ込むことを可能にすることに加えて、グラファイトインサート及びリングを踵支持材の凹部内に挿入することを可能にしている。リング４１０はまた、リングを凹部内に挿入したとき窓５７４、５７６と揃う窓４１２、４１４を有する。
また、踵支持材のリム６４８及び７４８並びにグラファイトインサート５００及び６００は、グラファイトインサート５００及び６００を踵支持材内に挿入することを可能にするために、図２５及び２６に示すように、「歯車形状」であってもよい。また、リング５１０は十分に可撓性であって、それを踵支持材内に挿入することが可能である。
別の態様を図２７に示す。この態様に於いて、後底５５０はそれが図３０及び３３に於けるような凹面状上表面を有する以外は、図１３に示す後底２５０と同一である。踵支持材８４０には鋸歯状の底縁８４６及びねじ切りした内表面８４８を有する下向きに延びた壁８４４が含まれている。踵支持材８４０にはまた上リム８４９が含まれている。
ねじ切りしたリング６１０には、踵支持材８４０のねじ切りした内表面８４８とかみ合うねじ切りした外表面６１２が含まれている。このリングにはまた、リングが踵支持材内にねじ込まれたとき鋸歯状の底縁８４６を押し付ける外向き及び内向きに延びているフランジ６１７が含まれている。フランジ６１７の底表面にはアンカー６１８が含まれており、回転を防ぐために後底を更に把持するために鋸歯状にされていてよい。このリングはまた２個の端部６１４及び６１６を有し、端部６１４は雄部材を有し、端部６１６は雄部材を収容して２個の端部を一緒に固定するように形成されている。
後底５５０は、リングの端部を外し、リングを後底の上側中底部分５６４の周りに配置し、フランジ６１７が後底の溝５６６とかみ合うようにする。次いで、端部６１４を端部６１６とかみ合わせることによって、リング６１０を後底の上に堅く固定する。グラファイトインサート４００を踵支持材内に挿入して、それが上リム８４９を押し付けるようにする。次いでリング６１０を結合された後底５５０と共に、リングのねじ切りした表面６１２を壁８４４のねじ切りした表面８４８とかみ合わせることによって踵支持材の中にねじ込む。次いでリングを踵支持材内に、壁８４４の鋸歯状縁８４６がリング６１０のフランジ６１７とかみ合うまでねじ込む。鋸歯状８４６は使用中のリングの回転を防ぐように機能する。
グラファイトインサートは円形グラファイトインサートに限定されず、後底の形状に一致するように適応させることができる。更に、グラファイトインサートは形状が凹面状又は凸面状であってよく、これには追加の弾性を与えるために、図２８に示すグラファイトインサート７００に於けるもののような切り取り部分が含まれていてもよい。グラファイトインサートはまた着脱可能な後底と一緒でのみ使用することが必要ではなく、同様に永久的に結合された後底と共に使用することができる。
追加の弾性を与えるために及び／又は踵クッション性を増大させるための他のアプローチを図２９及び３０に示す。この態様に於いて、後底の上部分にかぶせて嵌合させるために引き延ばした非常に弾性のバンド９００が下側中底部分３６２の上表面上に載っている。弾性効果を増大させるために、硬質プラスチック又はグラファイトＯ−リング９０２をバンド９００と上表面との間に設けることができる。バンドの上部は、後底が踵支持材に結合されたとき、図２２に示す踵支持材４４０のように、壁４４４の下側縁に対して配置される。こうして、使用中に靴の踵が地面に当たるとき、踵支持材の壁によって加えられた力はクッション性の中底ではなくて弾性のバンドに直接かかり、それによって追加の弾性を与える。また、バンド９９０は空気充填、ガス充填又はゲル充填されていてよく、なお同じ効果を達成する。
追加のクッションを望むならば、後底を図３１〜３３に示すように修正することができる。この態様に於いて、「ドーナッツ形状」の空洞６５２が後底６５０の中央部に作られ、タイヤのチューブと形状が類似している空気充填クッション７０を支持する。更に、幾つかの空洞６５４が後底の周辺の周りに形成され、後底の重量を減少させ、使用中に靴が地面に当たったとき空気充填クッション６７０のクッション性をより良く活用する。空洞は好ましくはノブ６５６の真下に配置され、踵支持材からノブへ移る力を吸収する。空気クッション６７０にはクッションを膨らませたりしぼませるためのバルブ６７２が含まれていてよい。
他の態様は図３４〜３６に示され、これには踵支持材９４０、グラファイトインサート８００、リング７１０及び後底７５０が含まれている。図３５に示すように、後底７５０には、実質的に平面状の地面かみ合い表面７５２、下側中底部分７５４及び上側中底部分７５６が含まれている。球根状の端部を有する複数個のノブ７５８が、上側中底部分７５６の周辺の周りに形成されている。更に、３個の空洞７５９が上側中底部分７５６及び下側中底部分７５４の一部に形成されている。
図３６に示すように、踵支持材９４０には、ノブ７５８を収容するための複数個の開口９４６を含む下向きに延びた壁９４４が含まれている。踵支持材９４０にはまた、後方に曲がった部分９４９を有するリム９４８が含まれている。この配置を与えることによって、また踵支持材の開口９４６と揃っている複数個の開口７１２を有するリング７１０及びグラファイトインサート８００は、踵支持材の凹部内に嵌合するように形成されている。
グラファイトインサート８００及びリング７１０は踵支持材の凹部内に挿入され、後底７５０は凹部内に加圧嵌合され、そうして後底のノブ７５８が踵支持材の壁９４４に形成されている開口９４６とかみ合うようになる。踵支持材のリムは曲がっているので、曲がったリムに隣接する後底の一部はまた上向きに曲げられ、地面かみ合い表面に傾斜縁を有効に作るであろう。後底に作られた空洞７５９によって、後底は容易に曲がって、曲がったリムの形状と一致することが可能になる。くさび７６０を、曲がったリムに隣接しない後底の空洞内に挿入して、横支持を与えてもよい。
本発明のシステムに於いて本発明の範囲及び精神から逸脱することなく種々の修正及び変形を作ることができることが、当業者に明らかであろう。それで、本発明は、それが請求の範囲及び均等物に含まれる限り、本発明の修正及び変形をカバーすることが意図される。
【図１Ａ】
0003898755.tif 000002
【図２】
0003898755.tif 000003
【図１Ｂ】
0003898755.tif 000004
【図３】
0003898755.tif 000005
【図４】
0003898755.tif 000006
【図５】
0003898755.tif 000007
【図６】
0003898755.tif 000008
【図７】
0003898755.tif 000009
【図８Ａ】
0003898755.tif 000010
【図８Ｂ】
0003898755.tif 000011
【図９】
0003898755.tif 000012
【図１０】
0003898755.tif 000013
【図１１】
0003898755.tif 000014
【図１２】
0003898755.tif 000015
【図１３】
0003898755.tif 000016
【図１４】
0003898755.tif 000017
【図１５】
0003898755.tif 000018
【図１６】
0003898755.tif 000019
【図１７】
0003898755.tif 000020
【図１８】
0003898755.tif 000021
【図１９】
0003898755.tif 000022
【図２０Ａ】
0003898755.tif 000023
【図２０Ｂ】
0003898755.tif 000024
【図２１】
0003898755.tif 000025
【図２２】
0003898755.tif 000026
【図２３】
0003898755.tif 000027
【図２４】
0003898755.tif 000028
【図２５】
0003898755.tif 000029
【図２６】
0003898755.tif 000030
【図２７】
0003898755.tif 000031
【図２８】
0003898755.tif 000032
【図２９】
0003898755.tif 000033
【図３０】
0003898755.tif 000034
【図３１】
0003898755.tif 000035
【図３２】
0003898755.tif 000036
【図３３】
0003898755.tif 000037
【図３４】
0003898755.tif 000038
【図３５】
0003898755.tif 000039
【図３６】
0003898755.tif 000040